(57)【特許請求の範囲】
【請求項１】
映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射するプロジェクタを備える映像投射システムであって、
前記リレーレンズと前記投射レンズ間の主光軸上に、前記共役像を透過する投射窓を形成する絞り板を、前記共役像の一次結像位置からずらして配置したことを特徴とする映像投射システム。
【請求項２】
映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を該投射レンズを介してスクリーンに投射するプロジェクタを備える映像投射システムであって、
前記リレーレンズと前記投射レンズ間の主光軸上に、前記絞り板を、前記共役像の一次結像位置からずらして配置したことを特徴とする映像投射システム。
【請求項３】
映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射する複数のプロジェクタを備える映像投射システムであって、
前記複数のプロジェクタそれぞれのリレーレンズと投射レンズ間の主光軸上に、前記共役像を透過する投射窓を形成する絞り板を、前記共役像の一次結像位置からずらして配置し、複数のプロジェクタからスクリーンに投射映像の周縁部が重畳する映像を投射することを特徴とする映像投射システム。
【請求項４】
映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を該投射レンズを介してスクリーンに投射する複数のプロジェクタを備える映像投射システムであって、
前記複数のプロジェクタそれぞれのリレーレンズと投射レンズ間の主光軸上に、前記絞り板を、前記共役像の一次結像位置からずらして配置し、複数のプロジェクタからスクリーンに投射映像の周縁部が重畳する映像を投射することを特徴とする映像投射システム。
【請求項５】
前記絞り板の主光軸上における前記共役像の一次結像位置からずらして配置するずらし量を可変とする調整機構を設けたことを特徴とする請求項１から４何れかに記載の映像投射システム。
【請求項６】
前記絞り板が透過する開口形状が固定された投射窓を有することを特徴とする請求項１から５何れかに記載の映像投射システム。
【請求項７】
前記絞り板を投射窓形状の異なる絞り板に交換自在なアタッチメントを設けたことを特徴とする請求項１から６何れかに記載の映像投射システム。
【請求項８】
前記絞り板の投射窓の形状を機械的又は電気的に変化させる投射窓可変部を設けたことを特徴とする請求項１から５何れかに記載の映像投射システム。
【請求項９】
映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射するプロジェクタの映像投射方法であって、
前記リレーレンズと前記投射レンズ間の主光軸上に、前記共役像を透過する投射窓を形成する絞り板を、前記共役像の一次結像位置からずらして配置して投射することを特徴とする映像投射方法。
【請求項１０】
映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を投射レンズを介してスクリーンに投射するプロジェクタを用いた映像投射方法であって、
前記リレーレンズと前記投射レンズ間の主光軸上に、前記絞り板を、前記共役像の一次結像位置からずらして配置して投射することを特徴とする映像投射方法。
【請求項１１】
映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射する複数のプロジェクタを用いた映像投射方法であって、
前記複数のプロジェクタそれぞれのリレーレンズと前記投射レンズ間の主光軸上に、前記共役像を透過する投射窓を形成する絞り板を、前記共役像の一次結像位置からずらして配置し、複数のプロジェクタからスクリーンに投射映像の周縁部が重畳する映像を投射することを特徴とする映像投射方法。
【請求項１２】
映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を該投射レンズを介してスクリーンに投射する複数のプロジェクタを用いた映像投射方法であって、
前記複数のプロジェクタそれぞれのリレーレンズと投射レンズ間の主光軸上に、前記絞り板を、前記共役像の一次結像位置からずらして配置し、複数のプロジェクタからスクリーンに投射映像の周縁部が重畳する映像を投射することを特徴とする映像投射方法。
【請求項１３】
前記絞り板の主光軸上における前記共役像の一次結像位置からずらして配置するずらし量を可変とする調整機構を設けたことを特徴とする請求項９から１２何れかに記載の映像投射方法。
【請求項１４】
前記絞り板が透過する開口形状が固定された投射窓を有することを特徴とする請求項９から１３何れかに記載の映像投射方法。
【請求項１５】
前記絞り板を投射窓形状の異なる絞り板に交換自在なアタッチメントを設け、該アタッチメントにより絞り板を交換することを特徴とする請求項９から１４何れかに記載の映像投射方法。
【請求項１６】
前記絞り板の投射窓の形状を機械的又は電気的に変化させる投射窓可変部を設け、該投射窓可変部を用いて投射窓の形状を機械的又は電気的に変化させることを特徴とする請求項９から１３何れかに記載の映像投射方法。
【発明の詳細な説明】
【技術分野】
【０００１】
本発明は、プロジェクタから被投影対象物に投影する映像領域を決定する絞り板端部のスクリーン上での像をデフォーカスすることができる映像投影システム及び映像投影方法に係り、特に、複数のプロジェクタからの複数映像をスクリーンに投影して１つの映像として形成する際の複数映像の重畳部分をグラデーションすることができる映像投影システム及び映像投影方法に関する。
【背景技術】
【０００２】
近年のプラネタリウムにおいては、ＬＣＯＳ（Ｌｉｑｕｉｄ  Ｃｒｙｓｔａｌ  Ｏｎ  Ｓｉｌｉｃｏｎ）やＤＬＰ（登録商標：Ｄｉｇｉｔａｌ  Ｌｉｇｈｔ  Ｐｒｏｃｅｓｓｉｎｇ）等の反射型液晶デバイスを用いたプロジェクタを複数用い、これら複数のプロジェクタからドーム形状のスクリーン全体に星座等の映像を投影する際に拡大投映された複数映像の重畳部分の輝度を連続的に低下させ、複数台のプロジェクタの重畳部分の明るさを重畳部分以外と同様の明るさにする技術が採用されている。この重畳部分の明るさを重畳部分以外と同様の明るさにする技術が記載された文献としては下記の特許文献１及び特許文献２が挙げられ、この特許文献１には、プロジェクタの投射レンズの外側（投射側）に所定形状の光を透過する投影窓を開口した遮光マスクを配置することによって、周縁部分の光を遮光しドームスクリーンに投影された映像の周縁部をぼんやりと暗くマスキングする技術が記載され、特許文献２には、ビデオ画像投映機を用いて画像を投映するに際し、画像の周辺部の輝度を連続的に低下するよう、投映レンズの主点位置から投射側にはずれた位置に周縁部が凸凹形状の投射窓を有する絞り板を設ける技術が記載されている。
【先行技術文献】
【特許文献】
【０００３】
【特許文献１】特開２００８−２８８７１４号公報
【特許文献２】特開平８−１７１３４４号公報
【発明の概要】
【発明が解決しようとする課題】
【０００４】
前記の特許文献１及び特許文献２に記載された技術は、投射レンズの外側（投射側）に投影窓を開口した遮光マスクを配置することによって、投影映像の周縁部をぼんやりと暗くマスキングすることができるものの、プロジェクタの外側に遮光マスクを配置しなければならず、装置全体が大きくなると共に複数のプロジェクタの重畳部分をグラデーションするための調整が煩雑であるという課題があった。
【０００５】
また、近年に於いては建築物や車両等の三次元物体に映像を投射するプロジェクションマッピングが実用化されており、三次元物体に映像を投射する際に周縁部が明瞭の場合は投影部分と非投影部分の重畳線が明瞭になるのを防ぐために周縁部をグラデーションする必要があったが、従来技術によるプロジェクタにおいても投影窓を開口した遮光マスクを投射側に配置しなければならず、装置全体が大きくなると共に三次元物体に対してはレンズからの距離が変化して投射サイズが変化するため調整が煩雑であると共に、対象物の形状に応じて遮光マスクを交換しなければならず、遮光マスク交換作業が煩雑であるという課題があった。
【０００６】
本発明の目的は、前述の従来技術による課題しようとするものであり、装置全体を大きくすることなく容易に映像領域を決定する絞り板端部のスクリーン上での像をデフォーカスすることができる映像投影システム及び映像投影方法を提供することと、更に、複数プロジェクタからの複数映像をスクリーンに投影して１つの映像として形成する際の複数映像の重畳部分をグラデーションすることができる映像投影システム及び映像投影方法を提供することである。
【課題を解決するための手段】
【０００７】
前記目的達成するために請求項１記載の発明は、映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射するプロジェクタを備える映像投射システムであって、前記リレーレンズと前記投射レンズ間の主光軸上に、前記共役像を透過する投射窓を形成する絞り板を、前記共役像の一次結像位置からずらして配置したことを特徴とする。なお、本出願書面に記載する光軸と主光線が平行とは、社会通念上の意味で、平行と同一視できる程度のものを含む。
【０００８】
また、請求項２記載の発明は、映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を投射レンズを介してスクリーンに投射するプロジェクタを備える映像投射システムであって、前記リレーレンズと前記投射レンズ間の主光軸上に、前記絞り板を、前記共役像の一次結像位置からずらして配置したことを特徴とする。
【０００９】
また、請求項３記載の発明は、映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射する複数のプロジェクタを備える映像投射システムであって、前記複数のプロジェクタそれぞれのリレーレンズと投射レンズ間の主光軸上に、前記共役像を透過する投射窓を形成する絞り板を、前記共役像の一次結像位置からずらして配置し、複数のプロジェクタからスクリーンに投射映像の周縁部が重畳する映像を投射することを特徴とする。
【００１０】
また、請求項４記載の発明は、映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を投射レンズを介してスクリーンに投射する複数のプロジェクタを備える映像投射システムであって、前記複数のプロジェクタそれぞれのリレーレンズと投射レンズ間の主光軸上に、前記絞り板を、前記共役像の一次結像位置からずらして配置し、複数のプロジェクタからスクリーンに投射映像の周縁部が重畳する映像を投射することを特徴とする。
【００１１】
また、請求項５記載の発明は、前記請求項１から４何れかに記載の映像投射システムにおいて、前記絞り板の主光軸上における前記共役像の一次結像位置からずらして配置するずらし量を可変とする調整機構を設けたことを特徴とし、請求項６に記載の発明は、前記請求項１から５何れかに記載の映像投射システムにおいて、前記絞り板が透過する開口形状が固定された投射窓を有することを特徴とする。
【００１２】
また、請求項７記載の発明は、前記請求項１から６何れかに記載の映像投射システムにおいて、前記絞り板を投射窓形状の異なる絞り板に交換自在なアタッチメントを設けたことを特徴とし、請求項８記載の発明は、前記請求項１から５何れかに記載の映像投射システムにおいて、前記絞り板の投射窓の形状を機械的又は電気的に変化させる投射窓可変部を設けたことを特徴とする。
【００１３】
また、請求項９記載の発明は、映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射するプロジェクタの映像投射方法であって、前記リレーレンズと前記投射レンズ間の主光軸上に、前記共役像を透過する投射窓を形成する絞り板を、前記共役像の一次結像位置からずらして配置して投射することを特徴とする。
【００１４】
また、請求項１０記載の発明は、映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を投射レンズを介してスクリーンに投射するプロジェクタを備える映像投射方法であって、前記リレーレンズと前記投射レンズ間の主光軸上に、前記絞り板を、前記共役像の一次結像位置からずらして配置して投射することを特徴とする。
【００１５】
また、請求項１１記載の発明は、映像素子に表示された映像をリレーレンズに入射し、該リレーレンズから出射される映像を共役像として一次結像位置に結像する光軸と主光線が平行なテレセントリック光学系を用い、前記共役像を投射レンズによってスクリーンに投射する複数のプロジェクタを用いた映像投射方法であって、前記複数のプロジェクタそれぞれのリレーレンズと投射レンズ間の主光軸上に、前記共役像を透過する投射窓を形成する絞り板を、前記共役像の一次結像位置からずらして配置し、複数のプロジェクタからスクリーンに投射映像の周縁部が重畳する映像を投射することを特徴とする。
【００１６】
また、請求項１２記載の発明は、映像を表示する映像素子と、該映像素子に表示された三原色の映像を合成する合成プリズムと、該合成プリズムから映像を入射して一次共役像位置に結像させるために出射するリレーレンズとによって光軸と主光線が平行なテレセントリック光学系を構成し、該リレーレンズから出射される映像の周縁部を減光するための投射窓を開口した絞り板を該リレーレンズと投射レンズとの間に配置し、該リレーレンズから出射した共役像を投射レンズを介してスクリーンに投射する複数のプロジェクタを備える映像投射方法であって、前記複数のプロジェクタそれぞれのリレーレンズと投射レンズ間の主光軸上に、前記絞り板を、前記共役像の一次結像位置からずらして配置し、複数のプロジェクタからスクリーンに投射映像の周縁部が重畳する映像を投射することを特徴とする。
【００１７】
また、請求項１３記載の発明は、請求項９から１２何れかに記載の映像投射方法において、前記絞り板の主光軸上における前記共役像の一次結像位置からずらして配置するずらし量を可変とする調整機構を設けたことを特徴とする。
【００１８】
また、請求項１４に記載した発明は、請求項９から１３何れかに記載の映像投射方法において、前記絞り板が透過する開口形状が固定された投射窓を有することを特徴とし、請求項１５記載の発明は、請求項９から１３何れかに記載の映像投射方法において、前記絞り板を投射窓形状の異なる絞り板に交換自在なアタッチメントを設け、該アタッチメントにより絞り板を交換することを特徴とし、請求項１６記載の発明は、請求項９から１３何れかに記載の映像投射方法において、前記絞り板の投射窓の形状を機械的又は電気的に変化させる投射窓可変部を設け、該投射窓可変部を用いて投射窓の形状を機械的又は電気的に変化させることを特徴とする。
【発明の効果】
【００１９】
本発明による映像投射システム及び映像投射方法は、プロジェクタの共役像を透過する投射窓を形成する絞り板を主光軸上における前記共役像の一次結像位置からずらして配置したことによって、スクリーンへ投射した投射映像の周縁部をグラデーションすることができ、プロジェクションマッピングにおける三次元物体へ投射する映像の周縁部をグラデーションすることができ、複数のプロジェクタから映像を投射するプラネタリユウムにおける複数映像の重畳部分をグラデーションすることができる。
【図面の簡単な説明】
【００２０】
【図１】本発明の実施形態による投射レンズを用いたプロジェクタ構成を示す図。
【図２】本発明原理を説明するためのプロジェクタ構成を示す図。
【図３】本発明原理を説明するための絞り板配置と一次共役像位置を一致させた例を示す図。
【図４】本実施形態の対象となるプラネタリウム投射技術を説明するための図。
【図５】本実施形態による映像投射システムの全体構成を示す図。
【図６】本実施形態によるプロジェクタの構成を示す図。
【図７】本実施形態による２台プロジェクタからの投射を説明するための図。
【図８】本発明の他の実施形態によるプロジェクタの構成を示す図。
【発明を実施するための形態】
【００２１】
以下、本発明による映像投射システム及び映像投射方法の一実施形態を図面を参照して詳細に説明するものであるが、まず、本発明の対象となるプラネタリウムにおける星座等の投射に用いられるプロジェクタの使用例を図４を参照して説明する。
このプラネタリウムにおけるプロジェクタを使用した投射は、図４（ａ）に示す如く、半円球状の内部空間を有するドームスクリーン１６のほぼ中央位置に２台のプロジェクタ１００を配置し、個々のプロジェクタ１００がドームスクリーン１６に対して両映像間の隙間がないように一部が重畳する投射映像３０ａ及び３０ｂを投射するため、図４（ｂ）に示す如く、２つの投射映像が重畳した映像重畳エリア３０ｚが生成され、図４（ｃ）に示す如く、この映像重畳エリア３０ｚに投射される２つのプロジェクタ１００からの投射映像は重畳した際に他のエリアとの明るさと同等になるブレンディングエリア３０ｃを形成する必要がある。
【００２２】
本実施形態による映像投射システムのハードウェア構成は、図５に示す如く、映像が投射されるスクリーン１６と、該スクリーン１６に映像を投射する２台のプロジェクタ１００と、この２台のプロジェクタ１００を用いて任意の映像を投射させる映像再生機器４２及び４３と、該映像再生機器４２及び４３を制御するシステム制御機器４１とから構成され、システム制御機器４１の制御によって２台のプロジェクタ１００から投射される映像を１つの映像としてスクリーン１６に投射されるように構成される。
【００２３】
本実施形態によるプロジェクタ１００は、図６に示す如く、図５に示した映像再生機器４２又は４３から提供される映像信号に基づいて映像５１を表示する映像素子１０と、該映像素子１０に表示された三原色の映像５１を合成する合成プリズム１１と、該合成プリズム１１から映像５１を入射瞳５２（有効口径）に入射して一次共役像位置２０に結像させるために出射瞳５３（有効口径）から出射するリレーレンズ１２と、該リレーレンズ１２から出射される映像の周縁部を減光するための投射窓を開口した絞り板１３と、該絞り板１３を通過した映像を入射瞳５５（有効口径）に入射してスクリーン１６に投射させる投射レンズ１４によってテレセントリック光学系を形成し、特に本実施形態によるプロジェクタ１００は、前記絞り板１３をリレーレンズ１２からリレーレンズ焦点面５４である一次共役像位置２０から投射レンズ１４寄りにずらして配置することによって、映像領域を決定する絞り板端部のスクリーン上での像をデフォーカスし、スクリーン１６に投射する映像周縁部をグラデーションして投射するように構成され、この原理を次に説明する。
尚、実際のプロジェクタにおいては主光軸に沿って絞り板１３の位置を調整可能な調整機構を設けることによって、色々なサイズのドームスクリーンの大きさに合わせて調整可能とすることが望ましい。また、本出願で記載するテレセントリック光学系とは、レンズの片側又は両側において光軸と主光線が真に平行である光学系であり、リレーレンズ等が複数レンズ群を組み合わせて構成されることから光軸と主光線が真に平行でなくともほぼ平行と社会通念上の意味において同一視できる程度の光学系をいい、前記リレーレンズ１２は、物体側及び像側共にテレセントリックであり、投射レンズは物体側のみテレセントリックである。
【００２４】
まず、絞り板１３の配置と一次共役像位置２０を一致させたプロジェクタは、図３に示す如く、映像素子１０上の画素ＡからＣに注目したとき、これら画素ＡからＣは合成プリズム１１及びリレーレンズ１２を通して一次共役像位置２０上に焦点が合った状態で倒立して合焦点結像され、この一次共役像位置２０に映像を扇状に開口した絞り板１３を通してスクリーン１６上に焦点が合った状態の画素ＡからＣが投射され、この投射映像の周縁部は投射されている部分と投射されていない部分とが絞り板１３によって明瞭に区別される。前記絞り板１３は、リレーレンズ１２から出射される映像の周縁部を遮光し、スクリーン１６上において周縁部のみを減光するように作用する。
【００２５】
これに対して絞り板１３を一次共役像位置に対してずらしたプロジェクタは、図１に示す如く、映像素子１０上の画素ＡからＣに注目したとき、画素Ｂ’は合成プリズム１１及びリレーレンズ１２を通して一次共役像位置２０上に焦点が合った状態で結像され、投射レンズ１４を通して画素Ｂ’’として焦点が合った状態で投射されるものの、画素Ａ’及びＣ’は絞り板１３によって焦点がボケた状態であるデフォーカスされた像と成り、このデフォーカスされた像が画素Ａ’’及びＣ’’として投射され、結果的に映像周縁部においてはグラデーション化された像となる。
【００２６】
この原理の理解を容易にするため図２を参照して説明する。図２に示すプロジェクタは、映像を表示する映像素子１０と、該映像素子１０に表示された映像を偏光する合成プリズム１１と、該合成プリズム１１から映像を入射して一次共役像位置２０に結像させるために出射するリレーレンズ１２と、該リレーレンズ１２から出射される映像の周縁部を減光するための任意形状に投射窓を開口した絞り板１３と、該絞り板１３を通過した映像を入射してスクリーン１６に投射させる投影レンズ１４とを備え、映像素子１０に表示した縦太矢印（映像）を一次共役像位置２０に倒立して結像し、この縦太矢印（映像）を投影レンズ１４がスクリーン１６上に正立した縦太矢印（映像）が合焦点した状態で投射するように調整される。
【００２７】
ここで、本実施形態の如く一次共役像位置２０と投影レンズ１４との間に所定形状に開口された絞り板１３を配置した場合、絞り板１３を通過した周縁部の点ｅの映像は距離Ａが短縮されるために合焦点位置が点ｆで示す位置になり、スクリーン１６に投射される絞り板１３の開放端部はピントがボケたデフォーカス状態となり、このデフォーカス状態の像を投影レンズ１４によって投射するためスクリーン１６上の映像周縁部はグラデーションされた映像となる。即ち、絞り板１３の配置を一次共役像位置２０からずらすことにより本実施形態によるプロジェクタは、映像領域を決定する絞り板１３端部のスクリーン上での像をデフォーカスすることができる。
【００２８】
このように本実施形態においては、絞り板１３を用いて映像周縁部における投影レンズ１４の主点ｏと物面までの距離Ａを短縮することによってスクリーン１６上に投射される映像周縁部のピントをぼかして投射することができ、図１に示したプロジェクタにおいても同様に距離Ａを短縮することによってスクリーン１６上に投射される絞り板開放端部のピントをボカして投射することができる。また、本実施形態によるプロジェクタは、絞り板１３の位置を変化させた場合、テレセントリック光学系を用いているためスクリーン１６上の映像サイズはあまり変化せずに周縁部のグラデーション状態のみが変化する。
【００２９】
さて、このように構成された映像投射システムは、２台のプロジェクタを用いる場合、図７に示す如く、映像素子１０ａと合成プリズム１１ａとリレーレンズ１２ａと投射レンズ１４ａによってテレセントリック光学系を形成し、該リレーレンズ１２ａと投射レンズ１４ａ間の一次共役像位置２０から投射レンズ１４ａ寄りに絞り板１３ａを配置したプロジェクタ１００ａと、映像素子１０ｂと合成プリズム１１ｂとリレーレンズ１２ｂと投射レンズ１４ｂによってレンズの片側において光軸と主光線が平行となるテレセントリック光学系を形成し、該リレーレンズ１２ｂと投射レンズ１４ｂ間の一次共役像位置２０から投射レンズ１４ｂ寄りに絞り板１３ｂを配置したプロジェクタ１００ｂとを並設し、両プロジェクタ１００ａ及び１００ｂからスクリーン１６に投射映像の周縁部が重畳する映像を投射するように構成されている。
【００３０】
この映像投射システムは、プロジェクタ１００ａからの投射映像とプロジェクタ１００ｂからの投射映像の周縁部が重畳する映像重畳エリア３０ｚを形成し、この映像重畳エリア３０ｚにおいては図中右側に図示する如く両プロジェクタ１００ａ及び１００ｂからの投射映像の周縁部をグラデーション化（ピントが徐々にボケると共に徐々に明度が低下する状態）することによって、プロジェクタ１００ａ及び１００ｂにおける投射映像は両プロジェクタからの投射映像が合成されるため図中右端に示す如く他の領域と同様な明度と成り、複数映像の重畳部分をグラデーションすることができる。本実施形態における映像重畳エリア３０ｚは、両プロジェクタ１００ａ及び１００ｂ共に同一領域が重畳するように設定し、同一領域の設定量は一次共役像位置２０と絞り板との距離Ｌによって設定することができ、更に、絞り板１３の位置を変化させてもスクリーン１６上の映像サイズは変化せずに周縁部のグラデーション状態のみが変化するため、複数のプロジェクタからの投影映像の位置調整等を容易に行うことができる。
【００３１】
本実施形態による映像投射システムのプロジェクタは、前述の実施形態に記載した構造に限られるものではなく、三原色のＤＭＤ（デジタルマイクロミラー装置：Ｄｉｇｉｔａｌ  Ｍｉｃｒｏｍｉｒｒｏｒ  Ｄｅｖｉｃｅ）素子を用いても良く、例えば、図８に示す如く、プリズム８２と色分解合成プリズム８１とＴＩＲ（内部全反射）プリズム８３から８５とリレーレンズ１２とを配置してテレセントリック光学系を形成し、このテレセントリック光学系のプリズム８２にＤＭＤ素子８０ｇ、ＴＩＲプリズム８４にＤＭＤ素子８０ｒ、色分解合成プリズム８１にＤＭＤ素子８０ｂを配置して各々の素子から３原色の映像を表示させ、ミラー８６からの入射光を各ＤＭＤ素子に反射させてリレーレンズ１２に入射させ、リレーレンズ１２の一次共役像位置２０から離れた位置に絞り板１３を配置することによって、スクリーン１６上に投射レンズ１４から投射される映像の周縁部をグラデーション化して投射することができる。
【００３２】
また、本発明による映像投射システム及び方法は、前述の実施形態に限られるものではなく、例えば次に述べる形態とすることもできる。
（１）前記実施形態においては一次共役像位置から投射レンズ寄りに絞り板を配置した例を説明したが、一次共役像位置からリレーレンズ寄りに配置することや、テレセントリック光学系における光軸と主光線が平行とみなせる部分（例えば、映像素子と合成プリズムの間）に配置しても良い。
【００３３】
（２）前記実施形態においては定型の投射窓を開口した絞り板を用いる例を説明したが、この絞り板はスクリーン形状や大きさに応じて投射窓形状の異なるものに交換するアタッチメントを設けても良く、更に、外部からの制御によって投射窓形状を機械的又は電気的に変化させる投射窓可変部を設けても良く、この機械的に変化させる投射窓可変部とは、例えば、カメラの絞りのような任意形状の複数の薄板の組み合わせ状態を変化させる機構が考えられ、電気的に変化させる投射窓可変部とは、例えば、電気的印加により液晶分子の向きを変えて光透過率を増減させる液晶素子板を絞り板とすることや、電気的印加により反射率が変化する多数のマイクロミラーを配置した光スイッチであるＤＬＰ（Ｄｉｇｉｔａｌ  Ｌｉｇｈｔ  Ｐｒｏｃｅｓｓｉｎｇ）素子を平行光の反射板として用いることが考えられる。
【００３４】
（３）前記実施形態においては２台のプロジェクタを用いるプラネタリウムの投射装置として使用する例を説明したが、例えば、３台以上の複数のプロジェクタを用いるプラネタリウムの投射装置として使用すること、三次元物体に映像を投射するプロジェクションマッピングにおいて、三次元物体に映像を投射する主光軸上に絞り板を配置し、三次元物体への投射映像の周縁部をグラデーション化することによって、厳密な位置合わせを要しないようにすること、マッピング対象の三次元物体の形状に合わせて投射窓形状を機械的又は電気的に変化させるようにしても良い。
【符号の説明】
【００３５】
１０、１０ａ、１０ｂ  映像素子、１１、１１ａ、１１ｂ  合成プリズム、
１２、１２ａ、１２ｂ  リレーレンズ、１３、１３ａ、１３ｂ  絞り板
１４、１４ａ、１４ｂ  投射レンズ、１６  スクリーン、
２０  一次共役像位置、３０ａ  投射映像、３０ｃ  ブレンディングエリア、
３０ｚ  映像重畳エリア、４２  映像再生機器、５１  映像、５２  入射瞳、
５３  出射瞳、５５  入射瞳、８０ｂ、８０ｇ、８０ｒ  ＤＭＤ素子、
８１  色分解合成プリズム、８２、８３、８４  ＴＩＲプリズム、
８６  ミラー、１００、１００ａ、１００ｂ  プロジェクタ
【図１】
0005939718.tif 000002
【図２】
0005939718.tif 000003
【図３】
0005939718.tif 000004
【図４】
0005939718.tif 000005
【図５】
0005939718.tif 000006
【図６】
0005939718.tif 000007
【図７】
0005939718.tif 000008
【図８】
0005939718.tif 000009